(57)【特許請求の範囲】
【請求項１】
接地プレート（２）と接地プレート（２）からある距離に配置され、接地プレート（２）にほぼ平行であり、一方の端ゾーンで前記接地プレートに導電接続されているラジエータ（３）とを有するフラットアンテナ構成（プレートアンテナ構成、パッチアンテナ構成）であって、アンテナ構成（１）の第１共振周波数において、ラジエータと接地プレート（２）の接続点で最小電圧が生じ、ラジエータの他端（自由端）の領域で、第１最大電圧が生じ、第１共振周波数より高い第２共振周波数では、最小電圧と第２最大電圧が、それぞれ、ラジエータ（３）の前述した端で生じ、ラジエータの自由端（６）の領域が、ラジエータの他点（７）に容量結合されており、したがって、第２共振周波数が、前述した容量結合が存在するとき、第１共振周波数の値の３倍より小さい値に低減され、容量値と容量結合の接続点が、第２共振周波数が少なくとも第１共振周波数の２倍にほぼ近くなるように選択されていることを特徴とする、フラットアンテナ構成。
【請求項２】
容量値と他点が、第１共振周波数が第２共振周波数より低く低減されるように選択されていることを特徴とする、請求項１に記載のアンテナ構成。
【請求項３】
容量結合が行われているラジエータ（３）の前述した他点が、第２共振周波数で、ラジエータ上の第１最大電圧の付近に配置されていることを特徴とする、請求項１または２に記載のアンテナ構成。
【請求項４】
前述した他点が、接地プレート（２）への接続点から測定して、ラジエータ（３）の直線的長さの約１／３のところに位置することを特徴とする、請求項３に記載のアンテナ構成。
【請求項５】
ラジエータ（３）が、円形でなく、角のある、ほぼＣの形状である形態を含めて、少なくとも部分的にＣの概形を有することを特徴とする、請求項１から４のいずれか一項に記載のアンテナ構成。
【請求項６】
ラジエータの形態が、自由端が、容量結合の他の接続点に対応するラジエータの点に隣接するように選択されていることを特徴とする、請求項１に記載のアンテナ構成。
【請求項７】
容量結合が、誘電材料を挿入した層で、自由端でのラジエータの一部と、容量結合のために設けられている他点でのラジエータの一部とを覆う金属片（２０、図５）によって形成され、したがって、容量結合が、２つのキャパシタの直列接続によって形成されていることを特徴とする、請求項１から６のいずれか一項に記載のアンテナ構成。
【請求項８】
アンテナ構成の給電（給電線５）が、複数の周波数帯域に対して、ラジエータ（３）への同じ接続点に設けられていることを特徴とする、請求項１から７のいずれか一項に記載のアンテナ構成。
【請求項９】
音声伝送、データ伝送、ビデオ伝送の目的の少なくとも１つのために、アンテナを有する、トランシーバを含む手持ち式無線通信装置（１５）であって、アンテナが、請求項１から８のいずれか一項に記載のアンテナ構成（１）によって形成されていることを特徴とする、手持ち式無線通信装置（１５）。
【請求項１０】
アンテナ構成の第２共振周波数のみを操作で使用することを特徴とする、請求項１から９のいずれか一項に記載のアンテナ構成の使用または手持ち式無線装置の設計。
【発明の詳細な説明】
【０００１】
【発明の属する技術分野】
本発明は、接地プレートと、接地プレートからある距離に配置され、接地プレートにほぼ平行であり、その端ゾーンの一方で、導電的に前記接地プレートに接続されているラジエータとを有するアンテナ構成（フラットアンテナ構成、プレートアンテナ構成、パッチアンテナ構成）に関する。アンテナ構成の第１共振周波数で、ラジエータと接地プレートの接続点において最小電圧が生じ、第１最大電圧が、ラジエータの他端（自由端）の領域で生じる。
【０００２】
【従来の技術】
パッチアンテナの原理に基づく、移動電話用の統合アンテナが知られている。現存する用途では、そのようなアンテナモジュールの外寸は、例えば、折畳み構造（Ｃパッチなど）を使用することによって、最小限に抑えられる。単一共振設計（単一動作周波数帯域）の他に、２つの定義された周波数帯域での（例えば、ＧＳＭ９００とＧＳＭ１８００規格の２つの移動無線通信帯域での）動作を容易にする他の構造が知られている。ここで、２つの別々のラジエータを使用するか、または適切な手段を使用して、より高い動作周波数で、ラジエータの特定の部分のみを使用する。これらの手順は、特により高い周波数で、利用可能なアンテナのボリューム全体を利用しないという欠点を有する。その結果、アンテナは、狭い帯域幅を有することになる。
【０００３】
【発明が解決しようとする課題】
本発明の目的は、２つの周波数の範囲に適しており、広帯域の構築を可能にするような、導入部で述べたタイプの構成を提供することである。
【０００４】
【課題を解決するための手段】
この目的は、請求項１を特徴付ける節に従って、他のより高い共振周波数で、最小電圧と第２最大電圧が、それぞれ、前述したラジエータの端で生じ、ラジエータの自由端の領域が、ラジエータの他端に容量結合され、したがって、他の共振周波数が、第１共振周波数の値の３倍に比例して低減する、ということで達成される。
【０００５】
本発明の利点は、ラジエータ全体が、両方の周波数の範囲で、放射を行うということにある。このようにして、広いラジエータの表面区域が利用可能なので、比較的広い帯域幅が、より高い周波数でも可能となる。また、低周波数でも、アンテナに利用可能な表面区域全体をラジエータとして使用することができるので、より低い周波数でも利点が存在する。ラジエータの１つの単一点を、給電に使用することができる。
【０００６】
本発明の実施形態では、容量値と容量結合の接続点は、第２共振周波数が、第１共振周波数の２倍に少なくともほぼ近似するように選択される。９００／１８００ＭＨｚまたは９００／１９００ＭＨｚの帯域での動作に適しているということは利点である。
【０００７】
本発明の実施形態では、容量値と他の点は、第１共振周波数が、第２共振周波数より低く低減されるように選択される。アンテナの寸法を小さく維持することができるということは利点である。
【０００８】
本発明の実施形態では、前述したラジエータの他の点は、その点で容量結合が行われており、第２共振周波数で、ラジエータ上の第１最大電圧の付近に配置されている。第２共振周波数が特に大きく低減され、第１共振周波数の低減が小さいことは利点である。
【０００９】
本発明の実施形態では、前述した他点は、接地プレートへの接続から測定して、ラジエータの直線的長さの約１／３のところに配置されている。この寸法は、多くの場合に好ましいことである。
【００１０】
本発明の実施形態では、ラジエータは、ほぼＣの形状をした、円形でない、角度のある構成を含めて、少なくとも部分的にＣに似た形状を有する。これは好ましいことが証明されている。
【００１１】
本発明の実施形態では、ラジエータの形状は、ラジエータの自由端が、所望の他のキャパシタンスの接続点に対応する、ラジエータの点に隣接するように選択される。それにより容易になるキャパシタの短い接続線は、利点である。
【００１２】
本発明の実施形態では、容量結合は、挿入された誘電材料の層で、自由端ゾーンの長さの一部と、容量結合のために設けられている他点でのラジエータの一部とを覆う金属片によって形成されており、したがって、容量結合は、２つのキャパシタの直列接続によって形成される。簡単で空間を取らない構成は利点である。
【００１３】
また、本発明は、音声伝送、データ伝送、ビデオ伝送の目的の少なくとも１つのために、トランシーバを含めて、アンテナを有する手持ち式無線通信装置に関する。アンテナは、実質的に上述した請求項の１つのよるアンテナ構成によって形成されていることを特徴とする。簡単な送信／受信回路が可能であることが利点である。また、装置が小さな構造形状を有することが可能である。
【００１４】
また、本発明は、上記で述べた、アンテナ構成の使用と、手持ち式無線通信装置の設計とに関する。本発明によれば、アンテナ構成の第２（より高い）共振周波数のみを動作で使用する。これは、より高い周波数帯域のみが要求される場合、潜在能力を持つ利点をもたらすことができるが、本発明によれば２帯域のアンテナが利用可能である。
【００１５】
本発明の他の特徴と利点は、本発明の本質的な詳細を示す図面を参照して、以下に説明する本発明の例示的な実施形態と、請求項に記述されている。個々の特徴は、本発明の実施形態において、個別にまたは任意に組み合わせて実施することができる。
【００１６】
【発明の実施の形態】
図１では、アンテナ構成１は、接地プレート２を備える。この例では、これは平坦である。接地プレート２からある距離のところに、その長さの大部分に沿って、ラジエータ３が接地プレート２に平行に延びており、適切な手段（図示せず）によって、接地プレート２から一定の距離に保たれている。図１に示す第１の例示的な実施形態では、これらの手段は、絶縁材料によって作成され、ラジエータ３と接地プレート２の間に配置された、数個のスペーサを備える。他の例示的な実施形態では、前述した手段は、誘電材料で作成され、ラジエータ３と接地プレート２の間に配置されたプレートを備える。ラジエータ３の全体的な構造は、多角である。接地プレート２に平行に延びるラジエータ３の部分の一端は、接地プレート２に対して直角に延びるセクション３ａ（短絡プレート）によって、幅全体にわたって、接地プレート２に導電接続されている。セクション３ａには、ラジエータ３のセクション３ｂが接しており、セクション３ｂには、この例では矩形である、接地プレート２の長手方向の縁に平行に延びる、セクション３ｃが直角に接しており、前記３ｃには、セクション３ｂに平行に延びるセクション３ｄが接しており、セクション３ｄには、セクション３ｃからある距離に、それに平行に延びるセクション３ｅが接している。セクション３ｂから３ｄは、合わせると、ほぼ文字Ｃの形状を有する。例示的な実施形態では、短絡プレート３ａに近接して配置されているセクション３ｅの端に、さらにセクション３ｆが配置されており、これは、セクション３ｄに対してよりはるかにセクション３ｂに近接しており、セクション３ｃの付近に延びている。これらの３ｂから３ｆのセクションは、平坦で、角度のある、らせん状の配置を形成する。また、示したアンテナは、フラットアンテナ、プレートアンテナ、またはパッチアンテナと呼ぶことができる。
【００１７】
本発明の実施形態では、前述したセクション３ａから３ｆを備えるラジエータ３全体は、穿孔し、湾曲することによって、薄い金属シートの１片として作成されている。他の実施形態では、ラジエータは、金属被覆として、上面と誘電材料からなる上述した絶縁プレートのある端面に適用される。
【００１８】
送信と受信の場合では、ラジエータ３の給電は、給電線５を介して行われる。給電線５は、短絡プレート３ａからある距離に配置されており、ラジエータ３に（例ではセクション３ｂに）接続され、その距離は、所望の特性インピーダンスが、給電のために得られるように選択される。一般に比較的小さい特性インピーダンスが所望されるので（５０オームの大きさのオーダ）、ラジエータ３の直線的な全長と比較して、給電線５は、比較的に短絡プレート３ａに近接している。キャパシタ８は、一方は、短絡プレート３ａの反対側を向いている端ゾーン６に接続されており、この例ではラジエータ３の正に自由端で、もっと正確にはラジエータのセクション３ｆで接続されており、他方は、例示的な実施形態では正反対に位置するセクション３ｃの点７に接続されている。
【００１９】
短絡プレート３ａの長さに相当する高さｈでは、ラジエータ３の大半が接地プレート２の上に配置されており、この高さｈは、アンテナ構成１を動作する高周波数の波長の４分の１と比較して小さい。
【００２０】
上述した給電線５の低オームの給電は、図１では、下から接地プレート２に向かって延びている同軸ケーブル９によって表されている。同軸ケーブル９の外部導体は、接地プレート２の導電性で、見えている表面に接続されており、同軸ケーブル９の中央導体は、給電線５に接続されている。
【００２１】
実際の応用では、同軸ケーブル９は、しばしば、図示しているよりもはるかに短く、または本発明の実施形態では、アンテナ構成１に接続される電子回路は、接地プレート２のすぐ下に配置されるので、おそらくは同軸ケーブルは、完全に省略することができる。本発明の他の実施形態では、接地プレート２は、実質的にプリント回路板から延長する金属によって形成され、その下に、プリント回路の回路素子が配置される。
【００２２】
図１に示すアンテナ構成の機能モードの説明では、まず、キャパシタのない図１によるアンテナに基づいている図２を参照する。短絡プレートと接地プレートの接続点からの距離ｄをラジエータ３の自由端まで水平軸上にプロットしており、短絡プレート３ａの他端（すなわち、接地プレート２への接続点）ではｄ＝０である。２つの異なる周波数の高周波数を有するアンテナ構成の給電に対する電圧と電界強度の基本的な特性的曲線を、垂直軸上にプロットする。
【００２３】
図２の曲線１０は、ラジエータ３の第１最低共振周波数を持ち、キャパシタのないアンテナ構成の給電に対する電圧特性曲線を示す。これは、４分の１波長が、短絡プレートを含むラジエータ３の有効長に対応するときに生じる。簡単のために、（ラジエータのスペーサまたはキャリアとしての）絶縁プレートの誘電率の影響は、この説明から省略する。
【００２４】
給電線５がこの第１共振周波数で給電されるとき、電圧は、直線状の長さ１に対応する、ラジエータの自由端で第１最大値を有し、短絡プレートのより低い端で値０を有する。
【００２５】
次に高い共振周波数は、給電周波数が増大するとともに、端６で再び最大値が生じるときに有効になる。これは、ラジエータ３の長さ１が、給電高周波数の３／４波長の値に相当するときである。この第２に述べた共振周波数は、第１に述べた共振周波数を、ファクタ３だけ超える周波数で生じる。
【００２６】
この種の構成（キャパシタのない）は、電磁波で動作し、周波数がかなり異なる（ファクタ３ではないが）、例えば周波数がほぼファクタ２だけ異なるような、２つの周波数の範囲で動作するアンテナ構成を有する携帯式送受信装置（トランシーバ）を提供するために使用する場合には、役に立たない。そのような周波数の範囲は、いわゆるＧＳＭ移動電話には標準であり、これは、ほぼ９００ＭＨｚの低い周波数の範囲（装置規格ＧＳＭ９００）を有し、ほぼ１８００ＭＨｚの次に高い周波数の範囲（装置規格ＧＳＭ１８００）を有する。図２による特徴を有するとき、上述したアンテナ構成は、前述した両方の周波数で、共振して動作することはできない。
【００２７】
しかし、図１に示した実施形態は、そのような２重帯域の動作を容易にする。
【００２８】
実際、上述したアンテナ構成は、狭い帯域を有し、専ら、ＧＳＭ９００規格に従って動作する移動電話の場合でも、および送受信動作が、ある周波数ギャップだけ分離した帯域で行われる場合でも、送受信のための同調は、給電点に設けられているそれぞれの接続手段によって行われなければならない。本発明はこの問題には関係しておらず、この問題は、本発明によって必ずしも解決されるわけではない。
【００２９】
むしろ、本発明によれば、アンテナの領域で、２つの周波数帯域（例えば、記述したように、９００ＭＨｚと１８００ＭＨｚの間）の間の切替えをわざわざ行う必要はない。唯一の給電線５を電に使用する。
【００３０】
図１による構成では、この構成は、ここでは、キャパシタ８の接続点７は、ラジエータ３の直線状の全長のほぼ３分の１のところに配置される。すでに記述したように、キャパシタ８の他の接続点は、ラジエータ３の自由端に接続されている。したがって、キャパシタ８は、ラジエータ３の２点間で接続されている。この２点では、低共振周波数で動作の場合には、（図２の曲線１０から読み取る）電圧が比較的少量だけ違い、特にラジエータ３の自由端の電圧の２分の１よりはるかに低い。この比較的低い電圧は、容量電流をキャパシタ８に流し、キャパシタ８がない状態と比較して、アンテナ構成１のこのより低い共振周波数（曲線１０）への影響は、、周波数の低減の点で比較的小さい。
【００３１】
反対に、アンテナ構成１が、切替え手段のない状態で、より高い共振周波数で動作するとき、キャパシタ８は、比較的大きい電圧差がある２点間（以前と同じ点６と７）に位置し、この差は、ラジエータ３の自由端の電圧よりはるかに大きい。
【００３２】
図２を見れば、キャパシタ８が、ラジエータ３の自由端の電圧の２倍の電圧に接続されていることが容易に判る。したがって、周波数の低減またはアンテナ長の点で、キャパシタ８の影響は、より低い共振周波数より、より高い共振周波数ではるかに大きい。
【００３３】
また、より低い共振周波数は、アンテナ長（周波数の低減）の点でいくらか影響を受けるので、長さ１は、キャパシタがない状態に比較してわずかに短くなり、したがって、より低い共振周波数がわずかに低減し、所望の共振周波数、例ではＧＳＭ９００の範囲の共振周波数になる。
【００３４】
すでに述べたように、より高い共振周波数は、かなりな程度まで低減され、したがって、キャパシタ８の大きさが適切に選択されるとき、このより高い周波数は、ＧＳＭ１８００に必要な値を有する。
【００３５】
キャパシタ８の接続点に関係する一般論によれば、キャパシタはラジエータに接続され、それにより、より低い共振周波数より、より高い共振周波数に大きな影響を及ぼす（すなわち低減する）。より詳細には、この理論では、キャパシタの接続点では、生じる電圧は、より低い共振周波数より、より高い共振周波数での方が大きくなる。特有の例では、キャパシタ８は、第２共振周波数の２つの位相が反対である電圧曲線の最大値が生じる位置の付近で接続されている。
【００３６】
現在、約１９００ＭＨｚというさらにより高い周波数で動作する、他のＧＳＭ規格（ＧＳＭ１９００）が存在することに留意されたい。また、この周波数は、第１共振周波数とかなり異なり、特に、約２倍であり、したがって、本発明によって同様に実施することができる。
【００３７】
周波数の範囲は、ＧＳＭ９００に対しては約８８０から９６０ＭＨｚ、ＧＳＭ１８００に対しては約１７１０から１８８０ＭＨｚ、そしてＧＳＭ１９００に対しては約１８５０から１９９０ＭＨｚである。
【００３８】
キャパシタ８のない共振周波数の位置を、図３に示す。Ｓ１１は、給電点で測定された反射ファクタである。共振周波数ｆ１とｆ２では、これらの周波数では、アンテナが給電高周波数パワーの大部分を放出するので、反射ファクタは他の周波数よりかなり小さい。周波数ｆ２は、周波数ｆ１の値の３倍である。図４は、キャパシタ８が存在するときの状態を示す。周波数ｆ’１は、ｆ１と比較して極くわずかに低減されており、したがって、ほぼ値ｆ１を有するが、より高い共振周波数ｆ’２は、図３のｆ２と比較して、かなり低減されている。
【００３９】
当業者なら、他の影響（手持ち式無線通信装置、特にＧＳＭ携帯電話の収容、装置を持っている手の影響および他の影響）が、理論的な考察、またインストールしていない状態で動作したアンテナ構成に基づいて、長さに認識できる変化を引き起こすことがあり得ることに気付くであろう。したがって、ここで説明した構成に対する寸法決めの規則と比較して、繊細な調整も場合によっては必要となる可能性がある。
【００４０】
平面図では、図１による構成で提供されている５つのラジエータセクション３ｂから３ｆは、小文字「ｅ」の概形を形成する。したがって、ｅパッチという名称が、この構成に対して提案されている。
【００４１】
アンテナ構成１は、制限されている利用可能な空間を、高周波数伝導ラジエータ表面区域で満たすように設計されている。セクション３ｅに隣接するセクション３ｆも、この目的のために役立つ。セクション３ｆは、直線的なラジエータの長さ１（各セクションのそれぞれの中央線に沿って測定した長さよりいくらか短い）の一部分を形成し、セクション３ｃの付近にあるために、キャパシタ８に実用的な接続の選択肢を提供する。より低い共振周波数では、ラジエータ３はё／４ラジエータであり、ラジエータ３は、その全長に沿って放出する。しかし、これはまた、より高い共振周波数での場合でもある。ここで再び、ラジエータ３は、長さがより短いセクションだけでなく、全てのセクション３ａから３ｆで放出する。これは、アンテナ構成が、より高い共振周波数でも比較的広い帯域を有するので、重要な利点である。反対に、上述したように、アンテナは、一方ではＧＳＭ１８００の受信範囲に、他方ではＧＳＭ１８００の送信範囲にアンテナ構成を最適に適応させるために、切替え適応機能を要求する可能性がある。アンテナがＧＳＭ１８００でなくＧＳＭ１９００用の寸法であるとき、またはＡＭＰＳなど他の規格を使用するとき、これらの実施形態も直接使用するべきであることが明らかになるであろう。
【００４２】
特に、図１による例示的な実施形態の場合では、ラジエータ３の表面区域の本質的な部分が、キャパシタ８の接続のために失われていないことに留意されたい。キャパシタ８は、単純に、ゾーン６と７の間で接続することができる。
【００４３】
アンテナ構成１’の好ましい実施形態（図５）は、キャパシタ８がシート金属片２０によって形成され、幅がセクション３ｆの幅にほぼ対応し、自由端６とセクション３ｃの間のギャップ上に配置され、、２つの隣接するセクション３ｃと３ｆには十分に重なり、誘電材料の挿入された層（合成樹脂シート２２、図５ａ参照）で、これらの部分にそれから定義された距離のところで接続される。このようにして２つのキャパシタが形成され、比較的広くて短く、したがって低誘導性である接続線を介して互いに直列に接続される。
【００４４】
アンテナの最適な寸法決めのために、特にキャパシタ８の容量値と接続点７は可変である。例えば、図２による値ｄが、長さ１／３よりいくらか長いセクション３ｃの点でキャパシタを接続することが有用である可能性があるが、これは、接地プレートからの距離をそのように増大しても、より高い共振周波数でキャパシタを横切って生じる電圧には小さな変化しか起きないが（点ｄ＝１／３は、曲線１１の最大値のところで生じるからである）、対応する曲線１０の電圧（より低い周波数範囲）では、より大きな変化が生じ、したがって、このようにして、より低い共振周波数に対するキャパシタの影響を、さらにいくらか低減することができるからである。
【００４５】
簡単な図面、図５は、部分的に割愛した手持ち式無線通信装置１５、すなわち移動電話を示し、アンテナとして上述したアンテナ構成１’を含む、。このアンテナの場合、キャパシタは、シート金属片２０によって形成され、挿入された絶縁層と共に３ｃと３ｆの部分上に配置され、２つのキャパシタンスとして直列接続されている。短絡プレート３ａは、移動電話のハウジングの上端に向かって配置されている。例では、手持ち式無線通信装置は、ＧＳＭ９００とＧＳＭ１８００の範囲用に設計されている。アンテナ構成は、移動電話の内部に完全に収容されており、したがって、統合されたアンテナを形成している。
【００４６】
ＧＳＭ９００とＧＳＭ１８００の範囲の移動電話に対する図１によるアンテナ構成の特別な例示的実施形態では、ラジエータは、約５ｃｍ×４ｃｍ×０．５ｃｍ（後者は短絡プレートの長さである）の空間を占有する。
【００４７】
図１から明らかなように、キャパシタの接続点７およびゾーン６と点７が非常に近接していることのために、ラジエータの長さと１／３から２／３の長さの再分割を維持しながら、本発明の原理から逸脱せずに、ラジエータのセクションの形状を著しく変更することが可能である。
【００４８】
説明したように、キャパシタ８への短い給電線により、必要な空間は小さく、損失は比較的少ない。小さな空間要件により、最大限可能な帯域幅に対する寸法決めが可能になる。
【００４９】
また、アンテナ構成の給電が、両方の周波数の帯域に対して同じ接続点で、すなわちラジエータ３への給電線５の接続点で、行われることを強調すべきである。
【００５０】
図１による構成で、より高い共振周波数が、キャパシタ８を省略し、ラジエータ３の自由端と接地との間でキャパシタを接続することによって低減される場合、これはまた、より低い共振周波数をかなり低減することになり、より高い共振周波数とより低い共振周波数の周波数の割合３：１にはほとんど変化が生じず、したがって、このタイプの回路は使用できないことになる。
【図面の簡単な説明】
【図１】アンテナの例示的な実施形態の概略的な透視図である。
【図２】キャパシタを含まない、図１によるアンテナの長さに沿った、２つの共振周波数の電圧分布のグラフの図である。
【図３】図１によるキャパシタが存在しない、図１によるアンテナの２共振周波数の位置を示す図である。
【図４】図１によるキャパシタが存在する結果として、図３と比較して共振周波数の変更した位置を、図３と同じ周波数のスケールで示す図である。
【図５】アンテナを有する手持ち式移動電話装置の図である。
【図５ａ】拡張したスケールで、図５の２０の詳細を示す図である。
【符号の説明】
１、１’  アンテナ構成
２  接地プレート
３  ラジエータ
３ａ  短絡プレート
３ｂ、３ｃ、３ｄ、３ｅ、３ｆ  ラジエータ３のセクション
５  給電線
６  ゾーン
７  キャパシタ８の接続点
８  キャパシタ
９  同軸ケーブル
１０  電圧特性曲線
１１  電界特性曲線
１５  手持ち式無線通信装置
２０  シート金属片
２２  合成樹脂シート
ｆ１、ｆ２、ｆ’１、ｆ’２  共振周波数
Ｓ１１  反射ファクタ
【図１】
0004823433.tif 000002
【図２】
0004823433.tif 000003
【図３】
0004823433.tif 000004
【図４】
0004823433.tif 000005
【図５】
0004823433.tif 000006
【図５ａ】
0004823433.tif 000007